(57)【要約】      （修正有）【課題】スマートタイプセキュリティー照明システムの提供。【解決手段】複数の照明監視設備２とコントロールサーバー３、ハンドヘルド式コントロール装置４及びリモートコントロール設備５を包含し、且つ相互の間が線路で接続されるか或いは無線伝送により相互に連結される。さらに、照明ランプ、環境検出、ビデオ撮影、音声伝送、物品認識装置などの多重感応、監視アセンブリを整合し、また、リモートコントロールの連結設定により、住居のセキュリティー保護、ゲート進入管理、屋外環境監視、ビルのセキュリティー保護等の機能を有するスマートタイプセキュリティー照明システムを構成する。【選択図】図１
0003169513.tif 000002
【実用新案登録請求の範囲】
【請求項１】
スマートタイプセキュリティー照明システムにおいて、少なくとも一つの照明監視設備とコントロールサーバーを包含し、且つ相互の間は線路で接続されるか無線伝送により相互に接続され、
該照明監視設備は、通信伝送装置、照明ランプ装置、ビデオ撮影装置、電波伝送装置、環境検出装置、音声伝送装置、移動検出装置、物品認識装置、情報投影装置、部品調整装置及び電源管理装置を包含し、且つ相互の間は電気的に互いに接続され、
該通信伝送装置はデータの交換伝送を行い、
該照明ランプ装置は投射照明光線を提供し、
該ビデオ撮影装置、人物映像フレームをキャプチャし、
該電波伝送装置は、無線電波信号を伝送し、
該環境検出装置は、リアルタイム環境状態を検出し、
該音声伝送装置は、音声通話メッセージをブロードキャストし、
該移動検出装置は、外物の違法進入を検出し、
該物品認識装置は、出入者のＩＤを識別し、
該情報投影装置は、宣伝文字イメージを投影し、
該部品調整装置、台座の回転角度を調整し、
該電源管理装置は、電源供給状態を制御することを特徴とする、スマートタイプセキュリティー照明システム。
【請求項２】
請求項１記載のスマートタイプセキュリティー照明システムにおいて、該照明監視設備の該電源管理装置には、電源供給モジュール、ランプ電源供給モジュール、電池電源供給モジュール及び光電変換モジュールが設置され、
該電源供給モジュールは、線路により電源コンセントに接続され、電源を供給し、
該ランプ電源供給モジュールは、線路によりランプ接点に接続されて、電源を供給し、  該電池電源供給モジュールは、電池アセンブリにより、電源供給を行い、
該光電変換モジュールは、ソーラーパネルにより光電変換を実行し、電源を供給することを特徴とする、スマートタイプセキュリティー照明システム。
【請求項３】
請求項２記載のスマートタイプセキュリティー照明システムにおいて、該照明監視設備の該通信伝送装置には、電力線通信モジュールと無線通信モジュールが設置され、
該電力線通信モジュールは、電力線回路によりデータ伝送を行ない、
該無線通信モジュールは、無線伝送によりデータ伝送を行うことを特徴とする、スマートタイプセキュリティー照明システム。
【請求項４】
請求項３記載のスマートタイプセキュリティー照明システムにおいて、該コントロールサーバーは、通信伝送装置、データ保存装置及び整合コントロールシステムを包含し、且つ相互の間は電気的に相互に接続され、
該コントロールサーバーの通信伝送装置はデータの交換伝送を行ない、
該データ保存装置は、データを保存し、
該整合コントロールシステムは、関係装置の監視管理と操作設定を実行することを特徴とする、スマートタイプセキュリティー照明システム。
【請求項５】
請求項４記載のスマートタイプセキュリティー照明システムにおいて、該コントロールサーバーの該通信伝送装置には、電力線通信モジュール、ネットワーク線通信モジュール及び無線通信モジュールが設置され、
該電力線通信モジュールは電力線回路によりデータの伝送を行い、
該ネットワーク線通信モジュールは、ネットワーク線路によりデータの伝送を行い、
該無線通信モジュールは無線伝送によりデータの伝送を行うことを特徴とする、スマートタイプセキュリティー照明システム。
【請求項６】
請求項５記載のスマートタイプセキュリティー照明システムにおいて、該コントロールサーバーの該整合コントロールシステムは、データ保存システム、ブロードキャスト音声システム、無線コミュニケーションシステム、ゲート進入管理システム、セキュリティー保護システム、状態検出システム、照明コントロールシステム、及び投影再生システムを包含し、
該データ保存システムは、データのバックアップを行ない、
該ブロードキャスト音声システムは、音声コミュニケーションメッセージブロードキャストの管理コントロールを行い、
該無線コミュニケーションシステムは、無線電波通信コミュニケーションの管理コントロールを行い、
該ゲート進入管理システムは、出入りする人のＩＤ認証の監視管理を行い、
該セキュリティー保護システムは、人物映像フレームをキャプチャし、外物の違法な進入を検出し及び台座の回転角度の監視管理を行い、
該状態検出システムは、リアルタイム環境状態検出の監視管理を行ない、
該照明コントロールシステムは、投射光照明提供の管理コントロールを行ない、
該投影再生システムは、宣伝文字イメージの投影の管理コントロールを行うことを特徴とする、スマートタイプセキュリティー照明システム。
【請求項７】
請求項６記載のスマートタイプセキュリティー照明システムにおいて、ハンドヘルド式コントロール装置をさらに包含し、該ハンドヘルド式コントロール装置は、無線伝送の方式で該照明監視設備に接続されて、内部装置の検出調整設定を実行することを特徴とする、スマートタイプセキュリティー照明システム。
【請求項８】
請求項７記載のスマートタイプセキュリティー照明システムにおいて、該ハンドヘルド式コントロール装置は、無線通信モジュールと監視調整システムを包含し、
該無線通信モジュールは、無線伝送によりデータ伝送を実行し、
該監視調整システムは、装置の検出調整設定の管理コントロールを行なうことを特徴とする、スマートタイプセキュリティー照明システム。
【請求項９】
請求項８記載のスマートタイプセキュリティー照明システムにおいて、リモートコントロール設備をさらに包含し、該リモートコントロール設備は、インターネット或いは通信ネットワークによる接続を通して、該コントロールサーバーに接続され、該コントロールサーバーのコントロール権を取得して関係装置、システムの操作コントロールを行うことを特徴とする、スマートタイプセキュリティー照明システム。
【請求項１０】
請求項９記載のスマートタイプセキュリティー照明システムにおいて、該リモートコントロール設備はコンピュータ、携帯電話或いはセットトップボックスとされ、該物品認識装置は、ＲＦＩＤとされることを特徴とする、スマートタイプセキュリティー照明システム。
【考案の詳細な説明】
【技術分野】
【０００１】
本考案は一種のスマートタイプセキュリティー照明システムに係り、特に一種の、複数の照明監視設備を接続できるスマートタイプセキュリティー照明システムに関する。
【背景技術】
【０００２】
現代のスマート建築設計の標準に対して、スマート建築とは、「建築物が平らで、情報設備システム、情報化アプリケーションシステム、建築設備管理システム、公共安全システム等と相容し、並びにシステム、サービス、管理及びその長所を一体に組合せて整合し、人々に安全で、高効率で、省エネで、環境保護し、健康的な建築環境を提供する」と定義される。この標準の下には、相当に複雑で且つ膨大なシステム整合工程が包含されるが、各メーカーの採用する標準は異なり、これにより、施設中に事前に企画設計と大量の工事、ケーブル及び設備の投入を行わねばならず、使用中にも、後続の拡充、追加或いは変更が困難である欠点がある。且つメインテナンスと使用上、大量にメインテナンス作業員を投入し、予備の部品をストックしなければならず、相当に大きな労働力負担とコストのプレッシャーが形成される。
【０００３】
このほか、現代社会の人口構造は日増しに高齢化し、社会の青壮年が不足し、それに巨大な社会責任を負わせることになり、且つ作業時間超過により、家庭内の老人と乳幼児の世話ができなくなる。さらに、屋外環境と資源の監視に対して、既存の技術は通常人力により実行され、且つ監視必要範囲が過大となったりその地区の環境が劣悪であったり、自然災害が頻繁であったりすると、監視員に身体安全上の危害が形成されやすい。
【考案の概要】
【考案が解決しようとする課題】
【０００４】
本考案は、照明ランプ、環境検出、ビデオ撮影、音声伝送、物品認識装置などの多重感応、監視アセンブリを整合し、並びにリモートコントロールの連結設定により、住居のセキュリティー保護、ゲート進入管理、屋外環境監視、ビルのセキュリティー保護等の機能を提供するスマートタイプセキュリティー照明システムを提供し、且つ重複配線及び大量の設備投入のもたらす資源浪費と余分のコスト支出を防止できるようにし、また、大幅にシステムの操作、監視、メインテナンスの複雑度を簡易化し、及び有効にシステムの信頼度と安定性を向上することを目的とする。
【課題を解決するための手段】
【０００５】
本考案のスマートタイプセキュリティー照明システムは、複数の照明監視設備とコントロールサーバー、ハンドヘルド式コントロール装置及びリモートコントロール設備を包含する。
【０００６】
これら照明監視設備と該コントロールサーバーは、相互の間が線路で接続されるか或いは無線伝送により相互に連結される。
【０００７】
該ハンドヘルド式コントロール装置は、無線伝送の方式で、該照明監視設備に接続されて、内部装置の検査調整設定を行える。
【０００８】
該リモートコントロール設備は、インターネット或いは通信ネットワークの連結により該コントロールサーバーに接続され、該コントロールサーバーのコントロール権を取得して関係装置、システムの操作制御を実行する。
【０００９】
そのうち、該リモートコントロール設備はコンピュータ、携帯電話或いはセットトップボックスを使用可能である。
【考案の効果】
【００１０】
本考案は、照明ランプ、環境検出、ビデオ撮影、音声伝送、物品認識装置などの多重感応、監視アセンブリを整合し、並びにリモートコントロールの連結設定により、住居のセキュリティー保護、ゲート進入管理、屋外環境監視、ビルのセキュリティー保護等の機能を提供するスマートタイプセキュリティー照明システムを提供し、且つ重複配線及び大量の設備投入のもたらす資源浪費と余分のコスト支出を防止できるようにし、また、大幅にシステムの操作、監視、メインテナンスの複雑度を簡易化し、及び有効にシステムの信頼度と安定性を向上する。
【図面の簡単な説明】
【００１１】
【図１】本考案の機能回路ブロック図である。
【図２】本考案の照明監視設備の通信伝送装置の機能回路ブロック図である。
【図３】本考案の照明監視設備の電源管理装置の機能回路ブロック図である。
【図４】本考案のコントロールサーバーの通信伝送装置の機能回路ブロック図である。
【図５】本考案の実施例図である。
【考案を実施するための形態】
【００１２】
本考案の技術内容、構造特徴、達成する目的を詳細に説明するため、以下に実施例を挙げ並びに図面を組み合わせて説明する。
【００１３】
図１から図５を参照されたい。本考案の一種のスマートタイプセキュリティー照明システム１は、複数の照明監視設備２とコントロールサーバー３、ハンドヘルド式コントロール装置４及びリモートコントロール設備５を包含する。
【００１４】
これら照明監視設備２と該コントロールサーバー３は、相互の間が線路で接続されるか或いは無線伝送により相互に連結される。
【００１５】
該ハンドヘルド式コントロール装置４は、無線伝送の方式で、該照明監視設備２に接続されて、内部装置の検査調整設定を行える。
【００１６】
該リモートコントロール設備５は、インターネット或いは通信ネットワークの連結により該コントロールサーバー３に接続され、該コントロールサーバー３のコントロール権を取得して関係装置、システムの操作制御を実行する。
【００１７】
そのうち、該リモートコントロール設備５はコンピュータ、携帯電話或いはセットトップボックスを使用可能である。
【００１８】
該照明監視設備２は、通信伝送装置２Ｄ１、照明ランプ装置２Ｄ２、ビデオ撮影装置２Ｄ３、電波伝送装置２Ｄ４、環境検出装置２Ｄ５、音声伝送装置２Ｄ６、移動検出装置２Ｄ７、物品認識装置２Ｄ８、情報投影装置２Ｄ９、部品調整装置２Ｄ１０及び電源管理装置２Ｄ１１を包含し、且つ相互の間は電気的に互いに接続されている。
【００１９】
該通信伝送装置２Ｄ１はデータの交換伝送を行う。
【００２０】
該照明ランプ装置２Ｄ２は投射照明光線を提供し、十分な照明輝度を提供する。
【００２１】
該ビデオ撮影装置２Ｄ３は、人物映像フレームをキャプチャし、これによりリアルタイムの監視フレームを提供する。
【００２２】
該電波伝送装置２Ｄ４は、無線電波信号を伝送し、人員が長距離の無線トランシーバーで連絡、対話が行えるようにする。
【００２３】
該環境検出装置２Ｄ５は、リアルタイム環境状態を検出し、監視員に現場の環境の各種検出データを掌握させる。
【００２４】
該音声伝送装置２Ｄ６は、音声通話メッセージをブロードキャストするのに用いられる。
【００２５】
該移動検出装置２Ｄ７は、外物の違法進入を検出し、並びに即刻警備員或いは管理人に警告表示する。
【００２６】
該物品認識装置２Ｄ８は、出入者のＩＤを識別する。
【００２７】
該情報投影装置２Ｄ９は、宣伝文字イメージを投影するのに用いられ、平常は注意事項の宣伝を投影でき、緊急非難時には処置方式及び避難経路を投影する。
【００２８】
該部品調整装置２Ｄ１０は、台座の回転角度を調整して、該照明ランプ装置２Ｄ２、該ビデオ撮影装置２Ｄ３、或いは該情報投影装置２Ｄ９を適当な位置、角度に調整する。
【００２９】
該電源管理装置２Ｄ１１は、電源供給状態を制御するのに用いられる。
【００３０】
そのうち、該環境検出装置２Ｄ５は、温度センサー、湿度センサー、圧力センサー、輝度センサー、スモークセンサー或いは二酸化炭素濃度センサー等、各種センサーとされ得る。
【００３１】
該物品認識装置２Ｄ８は、ＲＦＩＤを使用できる。
【００３２】
該照明監視設備２の該電源管理装置２Ｄ１１には、電源供給モジュール２Ｄ１１Ｍ１，ランプ電源供給モジュール２Ｄ１１Ｍ２、電池電源供給モジュール２Ｄ１１Ｍ３及び光電変換モジュール２Ｄ１１Ｍ４が設置されている。
【００３３】
該電源供給モジュール２Ｄ１１Ｍ１は、線路により電源コンセントに接続され、電源を供給する。
【００３４】
該ランプ電源供給モジュール２Ｄ１１Ｍ２は、線路によりランプ接点に接続されて、電源を供給する。
【００３５】
該電池電源供給モジュール２Ｄ１１Ｍ３は、電池アセンブリにより、電源供給を行う。
【００３６】
該光電変換モジュール２Ｄ１１Ｍ４は、ソーラーパネルにより光電変換を実行し、電源を供給する。
【００３７】
これにより、該電源管理装置２Ｄ１１は、該照明監視設備２の設置位置、配電環境により多種類の電力供給方式を提供し、並びに元来接続を行っていた電力供給回路が切断された時は、自動的に電力ソースを切り換えて電源供給を持続する。
【００３８】
該照明監視設備２の該通信伝送装置２Ｄ１には、電力線通信モジュール２Ｄ１Ｍ１と無線通信モジュール２Ｄ１Ｍ２が設置される。該電力線通信モジュール２Ｄ１Ｍ１は、電力線回路によりデータ伝送を行ない、新たに配線する面倒と配線コストの支出を防止する。
【００３９】
該無線通信モジュール２Ｄ１Ｍ２は、無線伝送によりデータ伝送を実行する。
【００４０】
該コントロールサーバー３は、通信伝送装置３Ｄ１、データ保存装置３Ｄ２及び整合コントロールシステムを包含し、且つ相互の間は電気的に相互に接続されている。
【００４１】
該通信伝送装置３Ｄ１はデータ交換伝送に用いられる。
【００４２】
該データ保存装置３Ｄ２データ保存に用いられる。
【００４３】
該整合コントロールシステムは、関係装置の監視管理と操作設定実行に用いられる。
【００４４】
該コントロールサーバー３の該通信伝送装置３Ｄ１には、電力線通信モジュール３Ｄ１Ｍ１、ネットワーク線通信モジュール３Ｄ１Ｍ２及び無線通信モジュール３Ｄ１Ｍ３が設置されている。
【００４５】
該電力線通信モジュール３Ｄ１Ｍ１は電力線回路によりデータの伝送を行う。
【００４６】
該ネットワーク線通信モジュール３Ｄ１Ｍ２は、ネットワーク線路によりデータの伝送を行う。
【００４７】
該無線通信モジュール３Ｄ１Ｍ３は無線伝送によりデータの伝送を行う。
【００４８】
該コントロールサーバー３の該整合コントロールシステムは、データ保存システム３Ｓ１、ブロードキャスト音声システム３Ｓ２、無線コミュニケーションシステム３Ｓ３、ゲート進入管理システム３Ｓ４、セキュリティー保護システム３Ｓ５、状態検出システム３Ｓ６、照明コントロールシステム３Ｓ７、及び投影再生システム３Ｓ８を包含する。
【００４９】
該データ保存システム３Ｓ１は、データのバックアップに用いられる。
【００５０】
該ブロードキャスト音声システム３Ｓ２は、音声コミュニケーションメッセージブロードキャストの管理コントロールを行うのに用いられる。
【００５１】
該無線コミュニケーションシステム３Ｓ３は、無線電波通信コミュニケーションの管理コントロールを行うのに用いられる。
【００５２】
該ゲート進入管理システム３Ｓ４は、出入りする人のＩＤ認証の監視管理を行う。
【００５３】
該セキュリティー保護システム３Ｓ５は、人物映像フレームをキャプチャし、外物の違法な進入を検出し及び台座の回転角度の監視管理を行うのに用いられる。
【００５４】
該状態検出システム３Ｓ６は、リアルタイム環境状態検出の監視管理に用いられる。
【００５５】
該照明コントロールシステム３Ｓ７は、投射光照明提供の管理コントロールに用いられる。
【００５６】
該投影再生システム３Ｓ８は、宣伝文字イメージの投影の管理コントロールに用いられる。
【００５７】
該ハンドヘルド式コントロール装置４は、無線通信モジュール４Ｄと監視調整システム４Ｓを包含する。
【００５８】
該無線通信モジュール４Ｄは、無線伝送によりデータ伝送を実行する。
【００５９】
該監視調整システム４Ｓは、装置の検出調整設定の管理コントロールに用いられる。
【００６０】
使用者は直接該コントロールサーバー３を制御することで、直接各部分に設置された該照明監視設備２をコントロール、管理でき、これにより、リアルタイムに各監視画面、音声メッセージ及び検出データを掌握し、並びに第１時間に正確な判断を行ない、即時の連携告知を行うか、或いは対応する処置動作を採る。
【００６１】
使用者はまた、該照明監視設備２の設置現場にて、該ハンドヘルド式コントロール装置４で無線伝送の方式で、該照明監視設備２に接続し、内部装置の検出調整設定を行える。
【００６２】
このほか、使用者はまた、遠方にあって、該リモートコントロール設備５で並びにインターネット或いは通信ネットワークによる接続を通して、該コントロールサーバー３に接続し、該コントロールサーバー３のコントロール権を取得して関係装置、システムの操作コントロールを行える。
【００６３】
以上述べたことは、本考案の実施例にすぎず、本考案の実施の範囲を限定するものではなく、本考案の請求の範囲に基づきなし得る同等の変化と修飾は、いずれも本考案の権利のカバーする範囲内に属するものとする。
【符号の説明】
【００６４】
１  スマートタイプセキュリティー照明システム
２  照明監視設備
２Ｄ１  通信伝送装置
２Ｄ１Ｍ１  電力線通信モジュール
２Ｄ１Ｍ２  無線通信モジュール
２Ｄ２  照明ランプ装置
２Ｄ３  ビデオ撮影装置
２Ｄ４  電波伝送装置
２Ｄ５  環境検出装置
２Ｄ６  音声伝送装置
２Ｄ７  移動検出装置
２Ｄ８  物品認識装置
２Ｄ９  情報投影装置
２Ｄ１０  部品調整装置
２Ｄ１１  電源管理装置
２Ｄ１１Ｍ１  電源供給モジュール
２Ｄ１１Ｍ２  ランプ電源供給モジュール
２Ｄ１１Ｍ３  電池電源供給モジュール
２Ｄ１１Ｍ４  光電変換モジュール
３  コントロールサーバー
３Ｄ１  通信伝送装置
３Ｄ１Ｍ１  電力線通信モジュール
３Ｄ１Ｍ２  ネットワーク線通信モジュール
３Ｄ１Ｍ３  無線通信モジュール
３Ｓ１  データ保存システム
３Ｓ２  ブロードキャスト音声システム
３Ｓ３  無線コミュニケーションシステム
３Ｓ４  ゲート進入管理システム
３Ｓ５  セキュリティー保護システム
３Ｓ６  状態検出システム
３Ｓ７  照明コントロールシステム
３Ｓ８  投影再生システム
４  ハンドヘルド式コントロール装置
４Ｄ  無線通信モジュール
４Ｓ  監視調整システム
５  リモートコントロール設備
【図１】
0003169513.tif 000003
【図２】
0003169513.tif 000004
【図３】
0003169513.tif 000005
【図４】
0003169513.tif 000006
【図５】
0003169513.tif 000007